(57)【要約】【課題】リールシートがリールフレームに装着された後はリールシート上の識別情報が完全に隠れて外観を損ねることのない遊技機を提供する。【解決手段】中心軸周りに回転駆動されるリールフレームの外周に円筒状に巻き付けられた帯状のリールシート４２ａ〜と、そのリールシート４２ａ〜の内側に配置されるバックライト手段とを有する回転表示リールを複数備え、リールシート４２ａ〜は、その一端側の被せ部５２を他端側の重ね代部５１の外面側に重ねた状態でリールフレームに固定され、リールシート４２ａ〜上の重ね代部５１以外の部分に複数の図柄とその背景とが表示されている遊技機で、リールシート４２ａ〜上の図柄の表示領域は光透過性を有し、背景の表示領域は光透過性を有しておらず、重ね代部５１上には、被せ部５２上の図柄の表示領域と重ならない位置に、回転表示リールとの対応関係を示す識別情報ＩＤ１，ＩＤ２が印刷されている。【選択図】図８
2011177343.tif 000002
【特許請求の範囲】
【請求項１】
回転駆動手段（３４）により中心軸（３９）周りに回転駆動されるリールフレーム（４１）と、前記リールフレーム（４１）の外周に円筒状に巻き付けられた帯状のリールシート（４２ａ〜４２ｃ）と、前記リールシート（４２ａ〜４２ｃ）の内側に配置されるバックライト手段（３６）とを有する回転表示リール（３１ａ〜３１ｃ）を複数備え、前記リールシート（４２ａ〜４２ｃ）は、その一端側の被せ部（５２）を他端側の重ね代部（５１）の外面側に重ねた状態で前記リールフレーム（４１）に固定され、前記リールシート（４２ａ〜４２ｃ）上の前記重ね代部（５１）以外の部分に、複数の図柄とその背景とが表示されている遊技機において、前記リールシート（４２ａ〜４２ｃ）上の少なくとも一部の図柄の少なくとも一部の表示領域（ＰＡ）は光透過性を有し、前記リールシート（４２ａ〜４２ｃ）上の前記背景の表示領域（ＰＢ）は光透過性を有しておらず、前記重ね代部（５１）上には、前記被せ部（５２）上の前記図柄の表示領域（ＰＡ）と重ならない位置に、前記回転表示リール（３１ａ〜３１ｃ）との対応関係を示す識別情報（ＩＤ１，ＩＤ２）が印刷されていることを特徴とする遊技機。
【請求項２】
回転駆動手段（３４）により中心軸（３９）周りに回転駆動されるリールフレーム（４１）と、前記リールフレーム（４１）の外周に円筒状に巻き付けられた帯状のリールシート（４２ａ〜４２ｃ）と、前記リールシート（４２ａ〜４２ｃ）の内側に配置されるバックライト手段（３６）とを有する回転表示リール（３１ａ〜３１ｃ）を複数備え、前記リールシート（４２ａ〜４２ｃ）は、その一端側の被せ部（５２）を他端側の重ね代部（５１）の外面側に重ねた状態で前記リールフレーム（４１）に固定され、前記リールシート（４２ａ〜４２ｃ）上の前記重ね代部（５１）以外の部分に、複数の図柄とその背景とが表示されている遊技機において、前記リールシート（４２ａ〜４２ｃ）上の少なくとも一部の図柄の少なくとも一部の表示領域（ＰＡ）と、前記背景の少なくとも一部の表示領域（ＰＢ）とは光透過性を有し、前記リールフレーム（４１）は光透過性を有しておらず、前記重ね代部（５１）のうち、前記リールフレーム（４１）が裏面に当接するフレーム当接領域（５３，５４）内に、前記回転表示リール（３１ａ〜３１ｃ）との対応関係を示す識別情報（ＩＤ１，ＩＤ２）が印刷されていることを特徴とする遊技機。
【請求項３】
前記識別情報（ＩＤ１，ＩＤ２）の色を前記背景と前記リールフレーム（４１）との少なくとも一方の色と略同一としたことを特徴とする請求項２に記載の遊技機。
【請求項４】
回転駆動手段（３４）により中心軸（３９）周りに回転駆動されるリールフレーム（４１）と、前記リールフレーム（４１）の外周に円筒状に巻き付けられた帯状のリールシート（４２ａ〜４２ｃ）と、前記リールシート（４２ａ〜４２ｃ）の内側に配置されるバックライト手段（３６）とを有する回転表示リール（３１ａ〜３１ｃ）を複数備え、前記リールシート（４２ａ〜４２ｃ）は、その一端側の被せ部（５２）を他端側の重ね代部（５１）の外面側に重ねた状態で前記リールフレーム（４１）に固定され、前記リールシート（４２ａ〜４２ｃ）上の前記重ね代部（５１）以外の部分に、複数の図柄とその背景とが表示されている遊技機において、前記リールシート（４２ａ〜４２ｃ）上の少なくとも一部の図柄の少なくとも一部の表示領域（ＰＡ）と、前記リールシート（４２ａ〜４２ｃ）上の前記背景の少なくとも一部の表示領域（ＰＢ）と、前記リールフレーム（４１）とは光透過性を有し、前記重ね代部（５１）のうち、前記リールフレーム（４１）が裏面に当接するフレーム当接領域（５３，５４）内に、前記回転表示リール（３１ａ〜３１ｃ）との対応関係を示す識別情報（ＩＤ１，ＩＤ２）が印刷されており、前記識別情報（ＩＤ１，ＩＤ２）の色を前記背景と前記リールフレーム（４１）との少なくとも一方の色と略同一としたことを特徴とする遊技機。
【請求項５】
前記リールシート（４２ａ〜４２ｃ）上の前記背景の表示領域（ＰＢ）は、少なくとも前記図柄の表示領域（ＰＡ）よりも光透過率が低くなっており、前記識別情報（ＩＤ１，ＩＤ２）は前記被せ部（５２）における前記背景の表示領域（ＰＢ）により覆われていることを特徴とする請求項２〜４の何れかに記載の遊技機。
【請求項６】
前記フレーム当接領域（５３，５４）は、前記リールシート（４２ａ〜４２ｃ）の側縁部に沿って周方向に設けられた一定幅の領域であることを特徴とする請求項２〜５の何れかに記載の遊技機。
【請求項７】
前記重ね代部（５１）のうち、少なくとも前記識別情報（ＩＤ１，ＩＤ２）の表示位置の周辺部は無色透明であることを特徴とする請求項１〜６の何れかに記載の遊技機。
【請求項８】
前記識別情報（ＩＤ１，ＩＤ２）は、同一機種内での前記各リールシート（４２ａ〜４２ｃ）と前記回転表示リール（３１ａ〜３１ｃ）との対応関係を示す位置識別情報（ＩＤ１）を含むことを特徴とする請求項１〜７の何れかに記載の遊技機。
【請求項９】
前記識別情報（ＩＤ１，ＩＤ２）は、他の機種と識別するための機種識別情報（ＩＤ２）を含むことを特徴とする請求項１〜８の何れかに記載の遊技機。
【発明の詳細な説明】
【技術分野】
【０００１】
本発明は、回転表示リールを複数備えたパチンコ機、スロットマシン等の遊技機に関するものである。
【背景技術】
【０００２】
パチンコ機、スロットマシン等の遊技機の中には、演出用の回転表示リールを例えば左右方向に複数個、例えば３個配置したものが知られている。この回転表示リールは、回転駆動手段と、この回転駆動手段により中心軸周りに回転駆動されるリールフレームと、このリールフレームの外周に円筒状に巻き付けられた状態で固定される帯状のリールシートとを備え、このリールシート上に、例えば複数の図柄が所定ピッチで表示されている。
【０００３】
このような複数の回転表示リールを備えた遊技機では、回転表示リール毎に図柄の配列等が異なっており、その図柄配列を前提に各回転表示リールの回転駆動制御が行われるようになっている。即ち、リールシートの種類は回転表示リールの数だけ存在し、それら複数種類のリールシートと各回転表示リールとは１対１で対応している。従って、製造段階でリールシートを貼り間違えるようなことは絶対にあってはならない。
【０００４】
そこで、例えば特許文献１に記載された遊技機では、リールシートと回転表示リールとの対応関係を示す識別情報を、リールシートの一端側に設けられた重ね代部上に表示しており、製造時にはこの識別情報を確認することでリールシートの貼り間違いを防止できるとしている。なお、識別情報が表示された重ね代部にはリールシートの他端側が重ねられるため、リールシートがリールフレームに装着された後は識別情報が外面側に露出することはない。
【先行技術文献】
【特許文献】
【０００５】
【特許文献１】特開２００３−９３５７６号公報
【発明の概要】
【発明が解決しようとする課題】
【０００６】
特許文献１に記載された発明では、識別情報をリールシートの重ね代部に表示しているため、リールシートがリールフレームに装着された後は識別情報が外面側に直接露出することはないが、重ね代部の外側に重ねられた部分に印刷された絵柄等を通して識別情報がうっすらと透けて見え、外観を損ねる場合があった。特にリールシートの裏側からバックライトで照らされるような場合にはその可能性は非常に大きい。
【０００７】
本発明は、上記事情に鑑みてなされたものであり、リールシートがリールフレームに装着された後は、リールシートに表示された識別情報が完全に隠れて外観を損ねることのない遊技機を提供することを目的とする。
【課題を解決するための手段】
【０００８】
第１の発明は、回転駆動手段３４により中心軸３９周りに回転駆動されるリールフレーム４１と、前記リールフレーム４１の外周に円筒状に巻き付けられた帯状のリールシート４２ａ〜４２ｃと、前記リールシート４２ａ〜４２ｃの内側に配置されるバックライト手段３６とを有する回転表示リール３１ａ〜３１ｃを複数備え、前記リールシート４２ａ〜４２ｃは、その一端側の被せ部５２を他端側の重ね代部５１の外面側に重ねた状態で前記リールフレーム４１に固定され、前記リールシート４２ａ〜４２ｃ上の前記重ね代部５１以外の部分に、複数の図柄とその背景とが表示されている遊技機において、前記リールシート４２ａ〜４２ｃ上の少なくとも一部の図柄の少なくとも一部の表示領域は光透過性を有し、前記リールシート４２ａ〜４２ｃ上の前記背景の表示領域は光透過性を有しておらず、前記重ね代部５１上には、前記被せ部５２上の前記図柄の表示領域と重ならない位置に、前記回転表示リール３１ａ〜３１ｃとの対応関係を示す識別情報ＩＤ１，ＩＤ２が印刷されているものである。
【０００９】
また第２の発明は、回転駆動手段３４により中心軸３９周りに回転駆動されるリールフレーム４１と、前記リールフレーム４１の外周に円筒状に巻き付けられた帯状のリールシート４２ａ〜４２ｃと、前記リールシート４２ａ〜４２ｃの内側に配置されるバックライト手段３６とを有する回転表示リール３１ａ〜３１ｃを複数備え、前記リールシート４２ａ〜４２ｃは、その一端側の被せ部５２を他端側の重ね代部５１の外面側に重ねた状態で前記リールフレーム４１に固定され、前記リールシート４２ａ〜４２ｃ上の前記重ね代部５１以外の部分に、複数の図柄とその背景とが表示されている遊技機において、前記リールシート４２ａ〜４２ｃ上の少なくとも一部の図柄の少なくとも一部の表示領域と、前記背景の少なくとも一部の表示領域とは光透過性を有し、前記リールフレーム４１は光透過性を有しておらず、前記重ね代部５１のうち、前記リールフレーム４１が裏面に当接するフレーム当接領域５３，５４内に、前記回転表示リール３１ａ〜３１ｃとの対応関係を示す識別情報ＩＤ１，ＩＤ２が印刷されているものである。
【００１０】
更に第３の発明は、回転駆動手段３４により中心軸３９周りに回転駆動されるリールフレーム４１と、前記リールフレーム４１の外周に円筒状に巻き付けられた帯状のリールシート４２ａ〜４２ｃと、前記リールシート４２ａ〜４２ｃの内側に配置されるバックライト手段３６とを有する回転表示リール３１ａ〜３１ｃを複数備え、前記リールシート４２ａ〜４２ｃは、その一端側の被せ部５２を他端側の重ね代部５１の外面側に重ねた状態で前記リールフレーム４１に固定され、前記リールシート４２ａ〜４２ｃ上の前記重ね代部５１以外の部分に、複数の図柄とその背景とが表示されている遊技機において、前記リールシート４２ａ〜４２ｃ上の少なくとも一部の図柄の少なくとも一部の表示領域と、前記リールシート４２ａ〜４２ｃ上の前記背景の表示領域と、前記リールフレーム４１とは光透過性を有し、前記重ね代部５１のうち、前記リールフレーム４１が裏面に当接するフレーム当接領域５３，５４内に、前記回転表示リール３１ａ〜３１ｃとの対応関係を示す識別情報ＩＤ１，ＩＤ２が印刷されており、前記識別情報ＩＤ１，ＩＤ２の色を前記背景と前記リールフレーム４１との少なくとも一方の色と略同一としたものである。
【発明の効果】
【００１１】
第１〜第３の発明によれば、リールシート４２ａ〜４２ｃにリールフレーム４１への貼り間違いを防止するための識別情報ＩＤ１，ＩＤ２を表示しているにも拘わらず、リールシート４２ａ〜４２ｃがリールフレーム４１に装着された後はその識別情報ＩＤ１，ＩＤ２が完全に隠れて外観への影響を完全に排除できる。
【図面の簡単な説明】
【００１２】
【図１】本発明の第１の実施形態を示すスロットマシンの全体斜視図である。
【図２】同じく本体ケースの正面図である。
【図３】同じく図柄表示ユニットの斜視図である。
【図４】同じく回転表示リールの斜視図である。
【図５】同じくリールシートの展開図である。
【図６】同じく回転表示リールの要部正面断面図である。
【図７】同じく回転表示リールの要部側面断面図である。
【図８】同じくリールフレームにリールシートを貼着する過程の説明図である。
【図９】本発明の第２の実施形態を示すリールフレームにリールシートを貼着する過程の説明図である。
【発明を実施するための形態】
【００１３】
以下、本発明の実施形態を図面に基づいて詳述する。図１〜図８は本発明をスロットマシンに採用した第１の実施形態を例示している。図１及び図２において、遊技機本体１は、本体ケース２と、この本体ケース２の前側に配置された矩形状の前面パネル３とを備えている。本体ケース２は例えば木製で、左右一対の側板４ａ，４ｂと、それら左右の側板４ａ，４ｂの上下両端側を左右に連結する上板５及び底板６と、背面側を略塞ぐ背板７とにより前側が開放する箱形に形成されており、その前側を開閉自在に閉鎖するように前面パネル３が装着されている。
【００１４】
本体ケース２内には、図２に示すように、図柄表示ユニット８の他、メダル払い出し装置９、メダル補助ケース１０、電源基板が格納された電源基板ケース１１、主制御基板１２が格納された主基板ケース１３等が配置されている。図柄表示ユニット８は、例えば左右の側板４ａ，４ｂ間に架設された中間棚１４上に配置され、メダル払い出し装置９、メダル補助ケース１０、電源基板ケース１１等は底板６上に配置されている。また主基板ケース１３は、例えば背板７の前面側で且つ図柄表示ユニット８の上側近傍に装着されている。
【００１５】
図１に示すように、前面パネル３は左右一端側、例えば左側に配置されたヒンジ手段  （図示省略）を介して本体ケース２に対して開閉自在に装着されており、その上部側には、前面パネル３の裏側に配置された液晶表示ユニット等の表示画面１５ａに対応する第１表示窓１５と、図柄表示ユニット８に対応する第２表示窓１６とが上下に配置されている。
【００１６】
また、第２表示窓１６の下側には、横長状の操作パネル部１７が設けられており、この操作パネル部１７の上面側に、遊技媒体としてのメダルを投入可能なメダル投入口１８、１ベットボタン１９、マックスベットボタン２０、クレジット精算ボタン２１等が設けられ、また操作パネル部１７の前面側に、スタートレバー２２、ストップボタン２３ａ〜２３ｃ、メダル返却ボタン２４等が設けられている。また前面パネル３の下端部前側には、メダル払い出し装置９から払い出されたメダルや返却メダルを前側に排出するための排出口２５が設けられ、その前側に、排出口２５から排出されたメダルを受けるメダル受け皿２６が横長状に配置されている。
【００１７】
図柄表示ユニット８は、図柄を変動表示するためのもので、図２及び図３に示すように、左右方向に配列された複数、例えば３つの回転表示リール３１ａ〜３１ｃと、これら回転表示リール３１ａ〜３１ｃを収容するユニットケース３２とを備え、このユニットケース３２が中間棚１４上の所定位置に載置され、例えば下部前端側が固定具８ａにより中間棚１４に対して着脱自在に固定されている。
【００１８】
ユニットケース３２は、例えば合成樹脂製で、前側の略全面に開口部３３が形成された略箱形に形成されており、その開口部３３を介して回転表示リール３１ａ〜３１ｃを個別に着脱可能となっている。また、ユニットケース３２には、回転表示リール３１ａ〜３１ｃをユニットケース３２内に固定すると共に回転表示リール３１ａ〜３１ｃの前側への電気配線の垂れ下がりを防止するガード部材２７が、開口部３３の上部側でユニットケース３２の左右の側板３２ａ，３２ｂを左右に接続するように着脱自在に装着されている。
【００１９】
３つの回転表示リール３１ａ〜３１ｃは、図柄の配列以外の構成は略同一であって、図４に示すように、夫々回転駆動手段３４と、この回転駆動手段３４によって例えば左右方向の中心軸周りに回転駆動されるリールドラム３５と、このリールドラム３５の内側に配置されるバックライト手段３６と、リールドラム３５の位置を検出する位置検出手段３７と、それら回転駆動手段３４、リールドラム３５、バックライト手段３６及び位置検出手段３７を直接的又は間接的に支持するベース体３８とを備えている。
【００２０】
ベース体３８は、例えば合成樹脂により略板状に形成されており、リールドラム３５の左右方向の一側（ここでは右側）に沿って配置されている。回転駆動手段３４は、例えばステッピングモータにより構成されており、その駆動軸（中心軸）３９を左右方向の一方側（ここでは左側）に向けた状態で、ベース体３８の一面側（ここでは左面側）に固定されている。
【００２１】
リールドラム３５は、リールフレーム４１と、このリールフレーム４１の外周に円筒状に装着される帯状のリールシート４２とで構成されている。リールフレーム４１は、例えば光透過性を有しないか又は光透過率が極めて低い黒色の合成樹脂製で、回転駆動手段３４の駆動軸３９に着脱自在に固定されるハブ部４３と、リールシート４２を駆動軸３９を中心とする円筒状に保持する例えば左右一対のリム部４４，４５と、リム部４４，４５の少なくとも一方（ここでは左リム部４４）とハブ部４３との間を半径方向に連結するスポーク部４６とで構成されている。
【００２２】
リム部４４，４５は、夫々リールシート４２の左右の縁部に沿う円環状に形成されており、図６に示すように、リールシート４２の裏面に当接する裏面保持部４７と、リールシート４２の左右方向外側に沿って裏面保持部４７から半径方向外向きに立設される側縁案内部４８と、例えば裏面保持部４７の左右方向内側の縁部から半径方向内向きに延設される補強部４９とを備えている。裏面保持部４７は、例えばその全周にわたって一定幅に形成されており、その幅はリールシート４２の全幅に対して十分に小さく（例えば１／２０程度）なっている。
【００２３】
これら左右のリム部４４，４５のうち、例えば左リム部４４が、周方向複数本（ここでは４本）のスポーク部４６によりハブ部４３と一体に連結されている。右リム部４５については、左リム部４４に対しても、またハブ部４３に対しても直接的には連結されておらず、リールシート４２を介して左リム部４４に支持されている。なお、左右のリム部４４，４５間を周方向の１又は複数箇所で例えば一体に連結してもよい。
【００２４】
リールシート４２は、図５に示すように例えば無色透明の合成樹脂製シートにより一定幅の帯状に形成され、その一面側又は両面側に、長手方向に等ピッチで配置された複数  （例えば２１個）の図柄とその周囲の背景とが印刷されており、リールフレーム４１のリム部４４，４５に巻き付けられ、裏面保持部４７の外周面に対して例えば接着剤により貼着されている。このリールシート４２は、その長手方向一端側に重ね代部５１が形成され、その重ね代部５１の分だけリールフレーム４１の周長よりも長くなっており、リム部４４，４５に装着する際には、図６，図７に示すように、その重ね代部５１の外面側に他端側の被せ部５２を重ねた状態で貼着されるようになっている。
【００２５】
またリールシート４２上には、図５に示すように図柄及び背景が重ね代部５１を除く全面に印刷されており、リールシート４２をリールフレーム４１に貼着した状態では、それら図柄及び背景が周方向に途切れることなく連続的に表示されるようになっている。なお、リールシート４２に印刷されている図柄の配列は、図５に示すように回転表示リール３１ａ〜３１ｃ毎に異なっているため、以下の説明では、必要に応じて回転表示リール３１ａ〜３１ｃに対応するリールシート４２を夫々リールシート４２ａ〜４２ｃとして区別する。
【００２６】
リールシート４２上の印刷領域（表示領域）のうち、背景の印刷領域（以下、背景印刷領域ＰＢという）は、光透過性を有しないか又は光透過率が極めて低くなっている。また、図柄の印刷領域（以下、図柄印刷領域ＰＡという）は、例えばその少なくとも一部が、背景印刷領域ＰＢに比べて光透過率が高い発光領域となっており、バックライト手段３６が点灯したとき、その発光領域が明るく発光するようになっている。
【００２７】
また、リールシート４２上の重ね代部５１には、リム部４４，４５の裏面保持部４７に対応する左右両縁側のフレーム当接領域５３，５４内に、識別情報を構成する英数字等が、例えばリールフレーム４１と同じ黒色で印刷されており、それ以外の部分は無印刷で無色透明のままとなっている。ここで、識別情報は、例えば同一機種内での各リールシート４２と回転表示リール３１ａ〜３１ｃとの対応関係を示す位置識別情報ＩＤ１と、他の機種用のリールシートと区別するための機種識別情報ＩＤ２とで構成されており、例えば一方のフレーム当接領域５３内に位置識別情報ＩＤ１が、他方のフレーム当接領域５４内に機種識別情報ＩＤ２が夫々印刷されている。
【００２８】
本実施形態では、位置識別情報ＩＤ１として、例えば左、中、右の回転表示リール３１ａ〜３１ｃに対応するリールシート４２ａ〜４２ｃに対して夫々「１ＳＴ」、「２ＮＤ」、「３ＲＤ」が夫々割り当てられ、また機種識別情報ＩＤ２として、全てのリールシート４２ａ〜４２ｃに対して例えば当該機種に対応する「ＡＢＣ」が割り当てられているものとする。
【００２９】
また、重ね代部５１に対応する被せ部５２には、例えば図柄印刷領域ＰＡと背景印刷領域ＰＢとが混在しているが、識別情報ＩＤ１，ＩＤ２が印刷されているフレーム当接領域５３，５４に対応する領域内は全て背景印刷領域ＰＢとなっており、リールシート４２をリールフレーム４１に貼着した状態では、重ね代部５１の識別情報ＩＤ１，ＩＤ２には被せ部５２の背景印刷領域ＰＢが重なるようになっている。
【００３０】
なお、回転表示リール３１ａ〜３１ｃがユニットケース３２内に装着されたとき、リールドラム３５の前端部分が開口部３３から前側に露出し、その前端部分に対応する周方向複数個（例えば３個）の図柄が第２表示窓１６を介して前側から視認できるようになっている。
【００３１】
バックライト手段３６は、第２表示窓１６に表示されている図柄を裏側から照らすためのもので、複数のＬＥＤ５５が前面側に配置されたＬＥＤ基板５６と、このＬＥＤ基板５６の前側に配置されたシェード部５７とで構成され、リールドラム３５内で且つ回転駆動手段３４の前側に配置されており、例えばシェード部５７がベース体３８に着脱自在に固定され、ＬＥＤ基板５６はシェード部５７の後部側に着脱自在に固定されている。
【００３２】
ＬＥＤ基板５６上には、第２表示窓１６の複数の図柄表示位置に対応する複数組（例えば３組）のＬＥＤ５５が配置されており、シェード部５７は、それら複数組のＬＥＤ５５とそれに対応する複数の図柄表示位置との間の空間を個別に取り囲むように複数（ここでは３つ）の照射室５８〜６０に区分されている。
【００３３】
位置検出手段３７は、例えば透過型フォトセンサにより構成され、例えばベース体３８からリールドラム３５内に突出する膨出部６１の先端側に装着されており、リールドラム３５上の例えばスポーク部４６上に設けられた突起状の被検出部６２を検出することにより、リールドラム３５が所定の回転位置にあることを検出するようになっている。なお、リールフレーム４１の左リム部４４上には、図６，図７等に示すように、その周方向の所定位置に例えば突起状の位置決め部６３が設けられており、リールシート４２をリールフレーム４１に貼着する際に例えばリールシート４２の端部をこの位置決め部６３に沿わせることにより、位置検出手段３７が検出状態となったときの各図柄の位置を一定にすることができる。
【００３４】
以上のように、本実施形態のスロットマシンでは、各リールシート４２ａ〜４２ｃに、回転表示リール３１ａ〜３１ｃとの対応関係を示す位置識別情報ＩＤ１と、他の機種用のリールシートと区別するための機種識別情報ＩＤ２とが表示されているため、組み立て時には、機種識別情報ＩＤ２を確認することにより機種間違いを防止でき、また位置識別情報ＩＤ１を確認することにより異なる回転表示リールへの貼り間違いを防止できる。
【００３５】
また、リールシート４２ａ〜４２ｃ上の図柄表示領域ＰＡは光透過性を有し、背景表示領域ＰＢは光透過性を有していないが、識別情報ＩＤ１，ＩＤ２は、重ね代部５１のうち、被せ部５２上の図柄表示領域ＰＡと重ならない位置に印刷されているため、識別情報ＩＤ１，ＩＤ２は光透過性を有しない背景表示領域ＰＢによって覆われ、外側から透けて見えることはない。
【００３６】
しかも、識別情報ＩＤ１，ＩＤ２は、重ね代部５１のうち、リールフレーム４１のリム部４４，４５が裏面に当接するフレーム当接領域５３，５４内に、リールフレーム４１と同一の黒色（図８では斜線で表す）で印刷されており、しかも重ね代部５１内は、識別情報ＩＤ１，ＩＤ２以外は無印刷で無色透明であるため、リールシート４２の重ね代部５１をリールフレーム４１のリム部４４，４５に貼着することにより（図８（ａ）→（ｂ））、黒色の識別情報ＩＤ１，ＩＤ２がその裏側のリールフレーム４１の黒色と同化して外側からは識別困難となり、更にその重ね代部５１の外面側に被せ部５２を重ねて貼着することにより（図８（ｃ））、識別情報ＩＤ１，ＩＤ２は被せ部５２側の背景印刷領域ＰＢ  （図８では網掛けで表す）で覆われるため、識別情報ＩＤ１，ＩＤ２による外観への影響を完全に排除できる。
【００３７】
なお、リールフレーム４１及びリールフレーム４１上の背景印刷領域ＰＢについては、光透過性を有しないか又は光透過率が極めて低いため、バックライト手段３６により裏側から照らされた場合でも、識別情報ＩＤ１，ＩＤ２の影が表側に浮き出して見えるようなことはない。
【００３８】
以上説明した第１の実施形態の場合、背景印刷領域ＰＢは光透過性を有しない（光透過率が極めて低いものを含む）ため、識別情報ＩＤ１，ＩＤ２は、被せ部５２上の図柄表示領域ＰＡと重ならない位置に配置すればよく、必ずしもフレーム当接領域５３，５４内である必要はない。また、識別情報ＩＤ１，ＩＤ２の印刷色は、フレーム当接領域５３，５４内に配置する場合にはリールフレーム４１又は背景印刷領域ＰＢと略同一であることが望ましく、またフレーム当接領域５３，５４の外に配置する場合には背景印刷領域ＰＢと略同一であることが望ましいが、それらに限られるものではない。
【００３９】
図９は本発明の第２の実施形態を例示し、第１の実施形態を一部変更して、背景印刷領域ＰＢの少なくとも一部について図柄表示領域ＰＡと同様に光透過性を持たせ、識別情報ＩＤ１，ＩＤ２を、重ね代部５１内に、被せ部５２における対応する部分の印刷色、即ち背景印刷領域ＰＢと同一の色で印刷した例を示している。
【００４０】
本実施形態では、第１の実施形態と同様、識別情報ＩＤ１，ＩＤ２をフレーム当接領域５３，５４内に印刷しているが、その印刷色は、対応する被せ部５２の背景印刷領域ＰＢと同じ例えば白色（図９では網掛けで表す）となっている。
【００４１】
これにより、リールシート４２の重ね代部５１をリールフレーム４１のリム部４４，４５に貼着した段階では（図９（ａ）→（ｂ））、白色の識別情報ＩＤ１，ＩＤ２はその後側のリールフレーム４１の黒色（図９では斜線で表す）から浮き上がって見えるが、更にその重ね代部５１の外面側に被せ部５２を重ねて貼着することにより（図９（ｃ））、識別情報ＩＤ１，ＩＤ２は被せ部５２側の背景印刷領域ＰＢで覆われてその白色と同化するため、識別情報ＩＤ１，ＩＤ２による外観への影響を完全に排除できる。
【００４２】
なお、この第２の実施形態のように背景印刷領域ＰＢの少なくとも一部について図柄表示領域ＰＡと同様に光透過性を持たせた場合でも、識別情報ＩＤ１，ＩＤ２はリールフレーム４１と略同一の色としてもよい。
【００４３】
以上、本発明の実施形態について詳述したが、本発明はこれらの実施形態に限定されるものではなく、本発明の趣旨を逸脱しない範囲で種々の変更が可能である。例えば、図柄表示領域ＰＡ、背景印刷領域ＰＢ及びリールフレーム４１が全て光透過性を有するように構成してもよい。この場合、識別情報ＩＤ１，ＩＤ２は、フレーム当接領域５３，５４内に、背景印刷領域ＰＢとリールフレーム４１との少なくとも一方の色と略同一の色で印刷することが望ましい。
【００４４】
識別情報ＩＤ１，ＩＤ２における一部分、例えば縁取り部分をリールフレーム４１と同一の色又は被せ部５２における対応する部分の印刷色と同一の色とし、識別情報ＩＤ１，ＩＤ２におけるその他の部分、例えば縁取りの内側の部分を被せ部５２における対応する部分の印刷色と同一の色又はリールフレーム４１と同一の色としてもよい。
【００４５】
第２の実施形態のように識別情報ＩＤ１，ＩＤ２を被せ部５２における対応する部分の印刷色と同一の色で印刷する場合には、識別情報ＩＤ１，ＩＤ２をフレーム当接領域５３，５４から外れた位置に印刷しても、識別情報ＩＤ１，ＩＤ２の影が表側に浮き出して見えるようなことは殆どないと考えられるが、第２の実施形態のようにフレーム当接領域５３，５４内に印刷することがより望ましい。
【００４６】
重ね代部５１内は、識別情報ＩＤ１，ＩＤ２の印刷部分を除く全てを無色透明とする必要はなく、例えば背景印刷領域ＰＢの端部を重ね代部５１内まで若干入り込ませてもよい。また、識別情報ＩＤ１，ＩＤ２をリールフレーム４１と略同一の色で印刷する場合、背景の色がこれと異なる場合には、重ね代部５１内における識別情報ＩＤ１，ＩＤ２の印刷部分を除く全体に背景を印刷してもよい。
【００４７】
背景はその少なくとも一部に光透過率が高い部分を設けてもよいが、できるだけ光透過率が低い部分が識別情報ＩＤ１，ＩＤ２に重なるようにすることが望ましい。また、リールシート４２は光透過性を有する素材であれば必ずしも無色透明である必要はなく、有色透明等であってもよい。
【００４８】
重ね代部５１の周方向長さは図柄１個分に対応させる、即ち重ね代部５１とその他の部分との境界が図柄と図柄との間にくるようにすることが望ましい。更に、例えば「７」等のボーナス図柄の光透過率をその他の図柄よりも高くするなど、複数の図柄の光透過率を図柄の種類に応じて異ならせる場合、重ね代部５１が透明であってもその外側に重なる被せ部５２の光透過率に若干の影響があるため、被せ部５２にはできるだけ光透過率の低い図柄を配置することが望ましい。
【００４９】
リールフレーム４１の色は黒に限られるものではなく、乳白色等どのような色でもよい。また、リールフレーム４１の光透過率も任意であり、例えば第２の実施形態のように識別情報ＩＤ１，ＩＤ２を被せ部５２における対応する部分の印刷色と同一の色で印刷する場合には無色透明であってもよい。
【００５０】
例えば図柄の態様等によって機種の識別が容易な場合などについては、位置識別情報ＩＤ１と機種識別情報ＩＤ２のうち、機種識別情報ＩＤ２は省略してもよい。また、位置識別情報ＩＤ１と機種識別情報ＩＤ２とをフレーム当接領域５３，５４の何れか一方にまとめて表示してもよい。識別情報ＩＤ１，ＩＤ２の外側には図柄印刷領域ＰＡの少なくとも一部が重なってもよい。
【００５１】
更に、実施形態では本発明をスロットマシンに適用した例を示したが、パチンコ機、アレンジボール機等のその他の各種遊技機においても同様に実施可能であることは言うまでもない。
【符号の説明】
【００５２】
３１ａ〜
３１ｃ  回転表示リール
３４    回転駆動手段
３６    バックライト手段
３９    駆動軸（中心軸）
４１    リールフレーム
４２ａ〜
４２ｃ  リールシート
５１    重ね代部
５２    被せ部
５３    フレーム当接領域
５４    フレーム当接領域
ＰＡ    図柄印刷領域（図柄表示領域）
ＰＢ    背景印刷領域（背景表示領域）
ＩＤ１  位置識別情報（識別情報）
ＩＤ２  機種識別情報（識別情報）
【図１】
2011177343.tif 000003
【図２】
2011177343.tif 000004
【図３】
2011177343.tif 000005
【図４】
2011177343.tif 000006
【図５】
2011177343.tif 000007
【図６】
2011177343.tif 000008
【図７】
2011177343.tif 000009
【図８】
2011177343.tif 000010
【図９】
2011177343.tif 000011